(57)【要約】【課題】切り口がラップした保護チューブを干渉させることなく、スムーズ且つ確実に線状体に装着する。【解決手段】チューブ誘導部４，４２と、チューブ誘導部を立ち上げた湾曲状の基壁７，４４とを備え、チューブ誘導部の先端部２，４５が中間部よりも拡幅されており、先端部で保護チューブ１２のラップした切り口１６を拡げつつ、チューブ誘導部に沿って保護チューブを基壁側の線状体３１に装着可能である保護チューブ挿入具１，４１を採用する。チューブ誘導部４と基壁７との間に、切り口１６を挿通させるガイド板６を形成した。略半環状のチューブ誘導部４２の両側端に、保護チューブ１２を案内する鍔部４３を基壁４４に至るまで形成した。【選択図】図１
2007116820.tif 000002
【特許請求の範囲】
【請求項１】
チューブ誘導部と、該チューブ誘導部を立ち上げた湾曲状の基壁とを備え、該チューブ誘導部の先端部が中間部よりも拡幅されており、該先端部で保護チューブのラップした切り口を拡げつつ、該チューブ誘導部に沿って該保護チューブを該基壁側の線状体に装着可能であることを特徴とする保護チューブ挿入具。
【請求項２】
前記チューブ誘導部の先端部が中間部に対して傾斜状に形成されたことを特徴とする請求項１記載の保護チューブ挿入具。
【請求項３】
前記チューブ誘導部と前記基壁との間に、前記切り口を挿通させるガイド板が形成されたことを特徴とする請求項１又は２記載の保護チューブ挿入具。
【請求項４】
前記チューブ誘導部の先端部の外幅が、前記ガイド板の外幅と、前記保護チューブの切り口のラップを解除した時の内径との総和よりも大きく設定されたことを特徴とする請求項３記載の保護チューブ挿入具。
【請求項５】
前記基壁に開閉自在な線状体挿通部が設けられたことを特徴とする請求項１〜４の何れかに記載の保護チューブ挿入具。
【請求項６】
略半環状の前記チューブ誘導部の両側端に、保護チューブを案内する鍔部が前記基壁に至るまで形成されたことを特徴とする請求項１記載の保護チューブ挿入具。
【発明の詳細な説明】
【技術分野】
【０００１】
本発明は、複数の電線等の線状体の外側に切れ目付の保護チューブを装着する際に使用する保護チューブ挿入具に関するものである。
【背景技術】
【０００２】
図６〜図７は、従来の保護チューブ挿入具の一形態を示すものである（特許文献１参照）。
【０００３】
この保護チューブ挿入具６１は、電線６２を挿通させる筒状部６３と、筒状部６３の一端側から斜め上向きに一体に突出形成された筒状のチューブ誘導部６４と、筒状部６３から径方向下向きに突出した板状の握り部６５とを有している。
【０００４】
チューブ誘導部６４は筒状部６３に連通し、筒状部６３と共に下側の握り部６５側で分割されて、上側のヒンジ部を支点に開閉自在である。筒状部６３と誘導部６４との両方に電線６２を選択的に挿通可能である。複数本の電線６２でワイヤハーネスが構成される。なお、上下とはチューブ挿入時の方向に対応した便宜上のものである。
【０００５】
筒状部６３を開いて電線６２を挿通した後、筒状部６３を閉じ、合成樹脂製の保護チューブ６６を誘導部６４の先端側から誘導部６４に沿ってスライド式に挿入する。保護チューブ６６は長手方向の切れ目を有したものである。誘導部６４から筒状部６３に沿って切れ目が開かれ、切れ目から電線６２が保護チューブ６６内に挿入される。
【０００６】
上記以外の保護チューブ挿入具としては、筒状部の上部に略板状の保護チューブ誘導部を設け、筒状部をばねの付勢力で閉じ、下側の一対の握り部の摘み操作でクリップ式に開くようにした保護チューブ挿入具が公知である。
【０００７】
筒状部を開いて電線を挿通した後、筒状部を閉じ、保護チューブの切れ目を誘導部で開きながら、保護チューブを誘導部から筒状部に沿って挿入し、切れ目から電線を保護チューブ内に挿入させる。
【特許文献１】特開２００４−４８９２７号公報（図１６，図１８）
【発明の開示】
【発明が解決しようとする課題】
【０００８】
しかしながら、上記従来の各保護チューブ挿入具にあっては、保護チューブとして切れ目部分がラップしたもの（切れ目がスリット状に開いておらず、切れ目側の両端縁が上下に重なったもの）を用いた場合に、保護チューブをチューブ誘導部に挿入した際に、筒状部と誘導部との交差部に保護チューブの切れ目側のラップ部が干渉して（突き当たって）挿入反対方向に押されて変形したり、それによって保護チューブの挿入がスムーズに行われないという問題があった。切れ目のラップした保護チューブは、テープ巻きをしなくても電線の飛び出しを生じないので広く使用されている。
【０００９】
本発明は、上記した点に鑑み、切り口がラップした保護チューブを用いた場合でも、干渉を起こすことなく、スムーズ且つ確実に保護チューブを電線等の線状体に装着することのできる保護チューブ挿入具を提供することを目的とする。
【課題を解決するための手段】
【００１０】
上記目的を達成するために、本発明の請求項１に係る保護チューブ挿入具は、チューブ誘導部と、該チューブ誘導部を立ち上げた湾曲状の基壁とを備え、該チューブ誘導部の先端部が中間部よりも拡幅されており、該先端部で保護チューブのラップした切り口を拡げつつ、該チューブ誘導部に沿って該保護チューブを該基壁側の線状体に装着可能であることを特徴とする。
【００１１】
上記構成により、チューブ誘導部の先端部で保護チューブが拡径され、保護チューブの切り口がラップせずにスリット状に開口する。これにより保護チューブのラップした切り口部分と保護チューブ挿入具の他の部位との干渉が防止される。スリット状に開口した切り口は基壁の湾曲面に沿ってさらに大きく拡げられつつ、線状体の外側に装着される。このように、先ず保護チューブが大きく拡げられ、次いでチューブ誘導部に沿って基壁側の線状体にスムーズに装着される。チューブ誘導部としては略環状又は略半環状のものを使用可能である。線状体としては電線の他に小径なビニルチューブ等を適用可能である。
【００１２】
請求項２に係る保護チューブ挿入具は、請求項１記載の保護チューブ挿入具において、前記チューブ誘導部の先端部が中間部に対して傾斜状に形成されたことを特徴とする。
【００１３】
上記構成により、チューブ誘導部が保護チューブの先端内側に楔状にスムーズに挿入され、楔作用でチューブ誘導部の先端部が小さな挿入力で大きな拡幅力を発揮して保護チューブをスムーズ且つ確実に拡げていく。チューブ誘導部としては略環状のものを使用することが好ましい。
【００１４】
請求項３に係る保護チューブ挿入具は、請求項１又は２記載の保護チューブ挿入具において、前記チューブ誘導部と前記基壁との間に、前記切り口を挿通させるガイド板が形成されたことを特徴とする。
【００１５】
上記構成により、チューブ誘導部の先端部で拡径された保護チューブの切り口がガイド板に沿って案内されつつ位置決めされて、保護チューブの挿入がスムーズに行われる。ガイド板は湾曲状に基壁に続いているから、保護チューブの切り口はガイド板から基壁の湾曲面に沿ってさらに大きく拡げられつつ線状体を保護チューブ内にスムーズに収容させる。チューブ誘導部としては略環状のものを使用することが好ましい。
【００１６】
請求項４に係る保護チューブ挿入具は、請求項３記載の保護チューブ挿入具において、前記チューブ誘導部の先端部の外幅が、前記ガイド板の外幅と、前記保護チューブの切り口のラップを解除した時の内径との総和よりも大きく設定されたことを特徴とする。
【００１７】
上記構成により、チューブ誘導部の先端部が保護チューブ内に挿入された際に、保護チューブの切り口がガイド板の外幅よりも大きく開き、切り口がガイド板に干渉する（突き当たる）ことなくガイド板に沿ってスムーズに挿通される。
【００１８】
請求項５に係る保護チューブ挿入具は、請求項１〜４の何れかに記載の保護チューブ挿入具において、前記基壁に開閉自在な線状体挿通部が設けられたことを特徴とする。
【００１９】
上記構成により、線状体挿通部を閉じて線状体を束ねた状態に保持し、その状態で保護チューブの挿入を行うことで、線状体に保護チューブを確実に装着することができる。線状体挿通部を設けない場合は、基壁で線状体挿通部を兼ねることが可能である。線状体挿通部は薄肉のヒンジを支点に開閉自在とすることが好ましい。ヒンジを用いない場合は、線状体挿通部を可撓性とすることで対処できる。
【００２０】
請求項６に係る保護チューブ挿入具は、請求項１記載の保護チューブ挿入具において、略半環状の前記チューブ誘導部の両側端に、保護チューブを案内する鍔部が前記基壁に至るまで形成されたことを特徴とする。
【００２１】
上記構成により、保護チューブが鍔部に沿って拡げられつつ、保護チューブの開いた切り口の両端縁が両側の鍔部に沿って案内されて基壁から線状体にスムーズに移行し、大きく開いた切り口から保護チューブ内に線状体が挿入される。また、切り口の両端縁が両鍔部に沿って位置することで、チューブ誘導部からの保護チューブの離脱が防止される。
【発明の効果】
【００２２】
請求項１記載の発明によれば、最初に保護チューブを大きく拡径させることで、保護チューブの切り口をラップさせずに開くことができるから、その状態で保護チューブをチューブ誘導部に沿って案内させることで、保護チューブ挿入具との干渉やそれに伴う保護チューブの変形等なく、スムーズ且つ確実に電線等の線状体に保護チューブを装着することができる。これにより、保護チューブの品質が良好に確保されると共に、チューブ装着作業性が向上する。
【００２３】
請求項２記載の発明によれば、チューブ誘導部の傾斜状の先端部で保護チューブをスムーズ且つ確実に拡げることができるから、線状体へのチューブ装着作業性が一層向上する。
【００２４】
請求項３記載の発明によれば、チューブ誘導部の先端部で開かれた保護チューブの切り口をガイド板に沿って位置決めしつつスムーズに線状体に向けて案内することができるから、線状体への保護チューブの装着を一層スムーズ且つ確実に行うことができる。
【００２５】
請求項４記載の発明によれば、保護チューブの切り口とガイド板との干渉を確実に防止することができ、切り口部分の変形や引っ掛かりに起因する保護チューブの品質低下やチューブ装着作業性の低下を確実に解消することができる。
【００２６】
請求項５記載の発明によれば、線状体挿通部で線状体を保持した状態で保護チューブをチューブ誘導部から線状体にスムーズに装着することができ、保護チューブの装着作業性が一層向上する。
【００２７】
請求項６記載の発明によれば、保護チューブをチューブ誘導部の鍔部に沿って位置ずれや離脱なく線状体に向けてスムーズに案内させることができるから、保護チューブの装着作業性が向上する。
【発明を実施するための最良の形態】
【００２８】
図１〜図２は、本発明に係る保護チューブ挿入具の第一の実施形態を示すものである。
【００２９】
この保護チューブ挿入具１は、合成樹脂を材料として、傾斜状の幅広な先端部２と下側のスリット状の開口３を有する略環状のチューブ誘導部４と、チューブ誘導部４の下部において左右両側の周壁５に連続して垂直に延長形成された幅狭な左右一対のガイド板６と、各ガイド板６の下端に続いて外向きに円弧状に拡がり、誘導部４の下端に交差して一体に続く湾曲状の基壁７と、基壁７の下側に配置され、頂部のヒンジ８を支点に開閉自在な円弧状のハーネス挿通部（線状体挿通部）９とを備えたものである。
【００３０】
チューブ誘導部４とガイド板６と基壁７とで挿入具主体部が構成され、ハーネス挿通部９は頂部（ヒンジ８側）において基壁７に一体的に連結されている。連結手段としては、例えば基壁７をハーネス挿通部９に可撓性のワイヤや紐や一体の可撓片等（図示せず）で連結したり、基壁７をハーネス挿通部９のヒンジ８の近傍で溶着したり、あるいは誘導部４の下端後部をハーネス挿通部９の頂部に溶着したりすることが可能である。要は、挿入具主体部に対してハーネス挿通部９を円弧状から円筒状に閉じる（変形させる）ことができるように連結させる。なお、明細書中で上下左右前後の方向性があくまでも説明の便宜上のものであり、必ずしも実使用時の方向と一致するとは限らない。
【００３１】
チューブ誘導部４は周方向に環状（筒状）に連続しておらず、下側においてスリット状に開いており、スリット状の開口３において下側のガイド板６や基壁７に一体に続いている。誘導部４は基壁７から斜め上向きに突出しており、基壁７に続く不完全な環状部１０と、環状部１０の先端でラッパ状に拡径した大径な先端部（誘導先端部）２とを備えている。不完全な環状部１０は少なくとも半円以上の角度で且つ３６０゜以下の角度で筒状化したものである。
【００３２】
図２（正面図）にも示す如く、誘導先端部２は湾曲部１１を介して環状部１０に滑らかに続いている。誘導先端部２の先端面２ａは環状部１０の軸方向に対して斜めに切断されたように形成され、水平な湾曲状の基壁７に対して先端面２ａがほぼ垂直に立ち上げられている。傾斜した誘導先端部２によって合成樹脂製のコルゲートチューブ（保護チューブ）１２を拡径し、その状態を維持したまま、誘導部４に沿って挿入することができる。また、誘導先端部２の先端（上端）２ｂは比較的鋭利に尖っており、誘導先端部２をコルゲートチューブ１２の内側空間１３に差し込みやすくなっている。
【００３３】
コルゲートチューブ１２は周方向の凹溝１４と凸条１５を交互に配列して良好な屈曲性を付与した既存のものであり、図３（ａ）にも示す如く、本例のコルゲートチューブ１２は自由状態で長手方向の切り口（切れ目）１６が上下にラップして閉じられている。ラップ部１７において外側と内側の各凹溝１４及び各凸条１５はそれぞれ重なっている。
【００３４】
一対のガイド板６は隙間１８を存して近接して平行に対向して配置され、誘導部４と基壁７との間で略三角形状を呈し、各ガイド板６と誘導部４の円弧状の周壁５との交差部１９及び各ガイド板６と基壁７との交差部２０とは滑らかな湾曲面で続いている。
【００３５】
基壁７は一対のガイド板６の下端から外側に円弧状に拡がった部分７ａと、誘導部４の下端にほぼ同じ径で続く部分７ｂとで成り、基壁７の下端及び後端は、開いた状態のハーネス挿通部９に大きな段差なく滑らかに続いている。
【００３６】
ハーネス挿通部９は開いた状態で略半円状又はヒンジ８を介して二つの円弧壁２１を並べた形状を呈し、頂部すなわち一対のガイド板６の間で薄肉のヒンジ８を有し、下端及び後端は基壁７よりも長く延長され、下端（閉じ時の接合部）に外向きの短い湾曲部２２を有している。ヒンジ８を支点に略筒状に閉じて複数本の電線（線状体）３１であるワイヤハーネス３２を保持可能である。下端の湾曲部２２は各電線３１を内向きに誘導して電線３１の逃げを防止する。
【００３７】
図２において、誘導先端部２の外幅（外径）寸法をＷとし、一対のガイド板６の外幅寸法（各ガイド板６の板厚とガイド板間の隙間１８との総計）をｗとし、図３（ｂ）の如くコルゲートチューブ１２の切り口１６をラップさせることなく（ラップを解除して）左右の切り口端１６ａを相互に接した状態における内径寸法をＤとした場合、Ｗ＞Ｄ＋ｗ  の式で各部の寸法が規定されている。この場合は、一対のガイド板６を重ねるようにしてｗを極力少なくすることにより、コルゲートチューブ１２の挿入を容易にすることができる。
【００３８】
すなわち、図１において、切り口１６が閉じた状態のコルゲートチューブ１２の先端内径部Ｄを誘導先端部２に係合させる（誘導先端部２の外側に挿入すなわち外挿する）ことで、コルゲートチューブ１２の先端部が拡径されて、切り口１６が一対のガイド板６の外幅寸法ｗよりも大きく開き、これにより、コルゲートチューブ１２の切り口部分がガイド板６に干渉することなく、スムーズにガイド板６に沿って挿入され、同時にコルゲートチューブ１２の先端部が誘導先端部２から環状部１０に沿ってスムーズにスライドし、円弧状の基壁７に沿って切り口１６がさらに大きく開かれて、基壁７に沿ってワイヤハーネス３２の外周側にスムーズに誘導される。
【００３９】
ハーネス挿通部９はコルゲートチューブ１２を誘導部４に挿入する前に作業者が予め手等で環状に閉じることで、ハーネス挿通部９の内側にワイヤハーネス３２が挿通保持される。コルゲートチューブ１２は基壁７とハーネス挿通部９に沿ってワイヤハーネス３２の外周側に誘導されつつ、切り口１６が弾性的に閉じて、ワイヤハーネス３２の長手方向に順次装着されていく。
【００４０】
なお、上記実施形態においては、ハーネス挿通部９にヒンジ８を形成したが、例えばヒンジ８を廃除し、湾曲状のハーネス挿通部９を閉じ方向に可撓性として、作業者がハーネス挿通部９を手で摘んで環状に閉じた状態で、コルゲートチューブ１２を挿入することも可能である。この際、ハーネス挿通部９は基壁（基板）７と連結されているが、基壁７を可撓性の樹脂材で形成した場合は、基壁７と一体的にハーネス挿通部９を環状に変形させて閉じることも可能である。これはヒンジ８のある場合においても同様である。また、先端部にロックを設け、閉鎖状態に保持する構造としてもよい。
【００４１】
また、ハーネス挿通部９を廃除し、基壁７をハーネス挿通部９の大きさに且つ可撓性に形成して、基壁７を環状に変形させてワイヤハーネス３２を基壁７の内側に挿通保持させることも可能である。
【００４２】
また、スリット状の開口３のある不完全な環状部１０に代えて完全な環状部を形成し、完全な環状部の下部に一対又は一枚のガイド板６を形成することも可能である。この場合、一枚のガイド板６の板厚が図２の外幅ｗに対応する。但し、完全な環状部１０を形成するには、樹脂成形が複雑化・高コスト化するといった問題がある。上記実施形態の保護チューブ挿入具１は樹脂成形を容易に且つ安価に行うことができるものである。
【００４３】
図４〜図５は、本発明に係る保護チューブ挿入具の第二の実施形態を示すものである。
【００４４】
この保護チューブ挿入具４１は、合成樹脂を材料として、斜め上向きないしほぼ垂直に立ち上げられた略半環状のチューブ誘導部４２と、チューブ誘導部４２の外縁に沿って形成された鍔部４３と、チューブ誘導部４２に交差して一体に水平に続く湾曲状の基壁４４とを備えたものである。
【００４５】
前記第一の実施形態と較べると、湾曲状（円弧状）の基壁４４がハーネス挿通部（線状体挿通部）９を兼ね、且つ幅狭な一対のガイド板６がなく、コルゲートチューブ１２が誘導部４２の誘導先端部４５で拡径された状態で誘導部４２の左右両側の鍔部４３に沿ってワイヤハーネス３２の外周側に案内される点で相違している。
【００４６】
チューブ誘導部４２は図１の実施形態ほどには筒状となっておらず、半円ないしそれ以上の角度で略半環状に形成され、正面側に図１のガイド壁６間の隙間３よりも幅広な開口４６を有している。
【００４７】
誘導先端部４５は、図５（背面図）にも示す如く、半環状のラッパ状に拡径（拡幅）されて誘導部４２の幅狭な長手方向中間部に続き、幅狭な中間部４７は再度、順次拡幅しつつ基壁４４の左右両側に続いている。誘導先端部４５の先端（上端）４５ｂはコルゲートチューブ１２の内径より小さく形成されており、コルゲートチューブ内に誘導先端部４５をスムーズ且つ確実に差し込める。挿入誘導部４５の長手方向中間部（誘導中間部）４７は括れた状態となっている。
【００４８】
誘導中間部４７から誘導基端部４８にかけて開口４６の端縁は基壁４４の一端部（開口４６が向いた側の端部）４４ａに向けて湾曲状に形成されている。誘導基端部４８は基壁４４のほぼ全幅に渡って拡幅されている。
【００４９】
誘導先端部４５から誘導中間部４７を経て誘導基端部４８にかけて、すなわち誘導部４２の全長に渡って、誘導部４２の幅方向の両端縁（開口４６の両側端）に鍔部４３（図５（ａ）（ｂ））が径方向外向きに突出形成されている。鍔部４３は誘導部４２の外壁面４９に交差して一体に続いている。鍔部４３の突出長さはコルゲートチューブ（保護チューブ）１２が開いて例えば切り口１６の両端縁１６ａが鍔部４３から外れない程度の長さであればよい。鍔部４３はコルゲートチューブ１２の例えば切り口部分に対する誘導用のガイド部として作用する。
【００５０】
基壁４４は略半円状に形成され、閉じ方向の可撓性を有している。基壁４４の頂部に薄肉のヒンジ（図示せず）を形成して開閉自在とすることも可能である。基壁４４の左右端には外向きの湾曲部５０が形成され、前例同様に閉じ時に電線３１を挟み込まないようになっている。
【００５１】
コルゲートチューブ１２は前例（図３）と同様のものであるので、説明を省略する。なお、前例においてもそうであるが、切り口部分のラップしない（スリット状の切れ目１６を長手方向に形成した）コルゲートチューブを用いることも無論可能である。
【００５２】
図５の誘導先端部４５の外幅寸法をＷ、コルゲートチューブ１２（図３（ｂ））の最小開き時（切り口６のラップを解除した時）の内径寸法をＤとした場合、Ｗ＞Ｄ  の式で各部の寸法が規定される。
【００５３】
図４において、コルゲートチューブ１２の内周部を誘導先端部４５に係合させる（誘導先端部４５の外側にコルゲートチューブ１２を挿入すなわち外挿する）ことで、コルゲートチューブ１２が拡径され、切り口６のラップがなくなり、その状態で誘導部４２に沿ってコルゲートチューブ１２の先端部が案内されつつ、チューブ先端の切り口１６の内端縁１６ａが鍔部４３に沿って誘導基端部４８から基壁４４を経て、あるいは誘導基端部４８から直接に複数本の電線（線状体）３１でなるワイヤハーネス３２の外周側に案内されて、ワイヤハーネス３２の外側にコルゲートチューブ１２が順次装着される。
【００５４】
基壁４４は作業者の手指等で環状ないしほぼ環状に閉じられた状態でコルゲートチューブ１２が誘導部４２に沿ってワイヤハーネス３２の外周側に装着（外挿）される。
【００５５】
なお、基壁４４を閉じることなく、断面半円状の基壁４４の内面にワイヤハーネス３２を沿わせ、作業者が手でワイヤハーネス３２を基壁４４の内側に保持した状態でコルゲートチューブ１２を誘導・装着させることも可能である。
【００５６】
誘導部４２の中間の括れ部４７をなくして誘導先端部４５から誘導基端部４８まで同一ないし同程度の幅（径）寸法でチューブ誘導部４２を形成することも可能であるが、コルゲートチューブ１２と誘導部４２との摺動抵抗が大きくなり、挿入作業性が低下する。これは第一の実施形態においても同様である。
【００５７】
また、上記各実施形態においては、保護チューブとして外周に凹凸のあるコルゲートチューブ１２を用いたが、コルゲートチューブ１２に代えて凹凸のない外周面の滑らかなビニル製等の保護チューブ（切り口があるもの）を用いることも可能である。
【００５８】
また、ワイヤハーネス３２に代えて線状体として、例えば洗浄液やエア等を挿通させる小径のビニルチューブ等を用いたり、これらを電線３１と混載させて用いることも可能である。
【図面の簡単な説明】
【００５９】
【図１】本発明に係る保護チューブ挿入具の第一の実施形態を示す分解斜視図である。
【図２】同じく保護チューブ挿入具のチューブ誘導部を示す図１の矢視Ａ正面図である。
【図３】（ａ）はコルゲートチューブの一例の自由状態、（ｂ）は同じくコルゲートチューブをラップしない最小限度で拡げた状態をそれぞれ示す正面図である。
【図４】保護チューブ挿入具の第二の実施形態を示す分解斜視図である。
【図５】（ａ）は保護チューブ挿入具のチューブ誘導部を示す図４の矢視Ｂ背面図、（ｂ）は（ａ）の鍔部を示すＥ−Ｅ断面図である。
【図６】従来の保護チューブ挿入具の一例における保護チューブを挿入する過程を示す側面図である。
【図７】同じく従来の保護チューブ挿入具を示す図６の矢視Ｃ正面図である。
【符号の説明】
【００６０】
１，４１  保護チューブ挿入具
２，４５  先端部
４，４２  チューブ誘導部
６        ガイド板
７，４４  基壁
９        ハーネス挿通部（線状体挿通部）
１２      保護チューブ
１６      切り口
３１      電線（線状体）
４３      鍔部
Ｗ，ｗ    外幅
Ｄ        内径
【図１】
2007116820.tif 000003
【図２】
2007116820.tif 000004
【図３】
2007116820.tif 000005
【図４】
2007116820.tif 000006
【図５】
2007116820.tif 000007
【図６】
2007116820.tif 000008
【図７】
2007116820.tif 000009